(57)【要約】【課題】利用者自身の病状に合った計測基準値を修正でき、さらに、利用者は複雑な測定値の代表する意味を記憶する必要がなく、測定値が正常、または危険などの情報をすぐ理解できるようにすること。【解決手段】装置上に検出ユニットを設け、一つのアナログ/デジタル変換ユニットに接続しておく、このアナログ/デジタル変換ユニットはさらに一つのマイクロプロセッサーに接続する。このマイクロプロセッサーは設定ユニット、表示ユニット、資料保存ユニット、通知ユニット及び電源供給ユニットに接続する。使用のとき、検出ユニットは生物検体を測定した後、アナログ/デジタル変換ユニットによりデジタルデータに変換し、マイクロプロセッサーは保存ユニットであらかじめに設定した基準値を取り出して、比較を行う。これらの処理完了後、表示ユニットと通知ユニットにそれぞれ表示させる。【選択図】図２
0003117104.tif 000002
【実用新案登録請求の範囲】
【請求項１】
一つの検出ユニットと、一つのアナログ/デジタル変換ユニットと、一つのマイクロプロセッサーと、一つの表示ユニットと、一つの設定ユニットと、一つの保存ユニットと、一つの通知ユニットと、一つの電源供給ユニットとを含み、
前記一つの検出ユニットは、検体を検出し、
前記一つのアナログ/デジタル変換ユニットは、検出ユニットに接続し、検出された生物検体のアナログ信号をデジタル信号に変換し、
前記一つのマイクロプロセッサーは、アナログ/デジタル変換ユニットに接続して、判断処理を行い、
前記一つの表示ユニットは、マイクロプロセッサーに接続して、検出結果を表示でき、
前記一つの設定ユニットは、マイクロプロセッサーに接続して、さまざまな健康基準値の設定変更を行い、
前記一つの保存ユニットは、マイクロプロセッサーに接続し、各種参考背景の変数および検出結果を保存し、
前記一つの通知ユニットは、マイクロプロセッサーに接続し、検体の測定値と基準値との比較結果に合わせて、通知を発信し、
前記一つの電源供給ユニットは、検出ユニット、マイクロプロセッサー、表示ユニットおよび設定ユニットに接続して必要な電源を供給し、
前述の部品構成により、検出するとき、世界保健機関(ＷＨＯ)またはＡＤＡ組織より勧告した最新の健康測定基準値あるいは医師の指示に従い、設定ユニットにより、実際状況の基準値を新たに設定し、これらの数値を併せてデータ保存ユニットに保存し、検出するとき、再設定後の基準値と検出数値との比較を行い、表示ユニットと通知ユニットにより、通知することを可能に構成したことを特徴とする、
基準値自己設定可能な生物センサー。
【請求項２】
前記設定ユニットは、押しボタン構造であることを特徴とする、請求項１記載の基準値自己設定可能な生物センサー。
【請求項３】
前記表示ユニットは、液晶表示装置であることを特徴とする、請求項１記載の基準値自己設定可能な生物センサー。
【請求項４】
前記データ保存ユニットは、外部メモリ装置構造であることを特徴とする、請求項１記載の基準値自己設定可能な生物センサー。
【請求項５】
前記マイクロプロセッサーは、通知ユニットに接続することを特徴とする、請求項１記載の基準値自己設定可能な生物センサー。
【請求項６】
前記通知ユニットは、灯信号であることを特徴とする、請求項５記載の基準値自己設定可能な生物センサー。
【請求項７】
前記通知ユニットは、スピーカであることを特徴とする、請求項５記載の基準値自己設定可能な生物センサー。
【請求項８】
前記データ保存ユニットに肥満度指数 (body mass index; ＢＭＩ)設定モードを設け、被測定者は測定するとき、設定ユニットにより肥満度指数 (body mass index; ＢＭＩ)の必要数値を入力しておき、マイクロプロセッサーにより併せてデータ保存ユニットに保存できることを特徴とする、請求項５記載の基準値自己設定可能な生物センサー。
【考案の詳細な説明】
【技術分野】
【０００１】
本考案は一種の基準値自己設定可能な生物センサーに関わるもので、利用者は設定ユニットより、測定基準値を設定できるため、世界保健機関(ＷＨＯ)米国糖尿病協会(ＡＤＡ)などの組織または医療関連組織の改定した最新の健康参考基準値または医療関係者より提案し、利用者自身の病状に合った計測基準値を修正できる。
さらに、通知ユニットの灯信号や音声などの方式を利用すれば、利用者は複雑な測定値の代表する意味を記憶する必要はない。それぞれの灯信号や音声から、測定値が正常、または危険などの情報をすぐ理解できる。
【背景技術】
【０００２】
在宅介護の観念がだんだん高まり、快速、廉価で、専業者による操作が不要、在宅のまま自己検知できる製品も増えている。その中、血糖測定器、電子検温計、電子式血圧計など、利用者は自分の健康状態を知りたいときに、時間とお金をかけてわざわざ医療施設に赴き、医療関係者協力のもとで、測定する必要がない。手持ちの医療計器があれば、いつでも、どこでも自分からだ健康状態を把握でき、病気の悪化は避けられる。
【考案の開示】
【考案が解決しようとする課題】
【０００３】
しかし、一般の利用者は医療関係者でないため、各種医療機器測定数値本当の意味が分からない。さらに、一部の医療機器は工場出荷するとき、製造者は世界保健機関(ＷＨＯ)またはＡＤＡ組織が勧告した健康基準値と危険値をあらかじめに設定した上、さまざまな方式により、利用者に正常または危険を知らせることができる。さらに、正常または危険値は、色違いの灯信号を点滅させるか、または警告音声などの方式で知らせることもできる。しかし、医療科学の発展及び臨床経験の累積を通じて、世界保健機関（ＷＨＯ)またはＡＤＡ組織は健康基準値と危険値を修正することがある。そのとき、利用者は更新された数値に馴染む必要がある。また、正常数値と危険数値を新たに認識しなければならない。特に、製造者は工場出荷のとき、あらかじめに通知ユニットを設定するが、利用者は新しい基準値に従って変更できない。このため、利用者による病状の誤認識と治療の手遅れが発生しやすい。
【０００４】
さらに、それぞれの利用者は家族の遺伝要因または発病状況により、公布された基準値とは異なる。一例として、すでに糖尿病を罹患している患者の血糖平均値は正常の人よりも高くなる。このとき、危険値を上げて通常の平均値状態に合わせておく必要がある。また、一般の正常血糖値範囲は６０−１１５mg/dl(３．４〜６．４mmol/L)で推移しているるが、最後の食事時間によるものである。空腹のとき、血糖値はまれにはあるが、６０mg/dl(３．４mmol/L)に下がって、場合によって、５０mg/d(２．８mmol/L)以下になることもあり得る。ただし、非常に異常なケースを除く、このような現象は、健康な婦人、特に、長期的に断食した後に見られる。測定の結果は平均値を示していたにも拘らず、メーカがあらかじめに設定した危険値を調整できないがため、利用者に不要な恐れあわてるを与えてしまうのである。
【０００５】
また、測定した血糖値は利用者その時点におけるからだの肥満度指数(BMI値)に影響を受ける。たとえば、肥満度指数が基準値を超える方は、測定された血糖値も高くなる。これらの情報は、公知の技術に本当の状況を示して、医師、看護従事者に正確な判断を与えることができなかった。
【０００６】
本考案は上記した問題点を解決することを目的とする。
【課題を解決するための手段】
【０００７】
本願の第１考案は、一つの検出ユニットと、一つのアナログ/デジタル変換ユニットと、一つのマイクロプロセッサーと、一つの表示ユニットと、一つの設定ユニットと、一つの保存ユニットと、一つの通知ユニットと、一つの電源供給ユニットとを含み、前記一つの検出ユニットは、検体を検出し、前記一つのアナログ/デジタル変換ユニットは、検出ユニットに接続し、検出された生物検体のアナログ信号をデジタル信号に変換し、前記一つのマイクロプロセッサーは、アナログ/デジタル変換ユニットに接続して、判断処理を行い、前記一つの表示ユニットは、マイクロプロセッサーに接続して、検出結果を表示でき、前記一つの設定ユニットは、マイクロプロセッサーに接続して、さまざまな健康基準値の設定変更を行い、前記一つの保存ユニットは、マイクロプロセッサーに接続し、各種参考背景の変数および検出結果を保存し、前記一つの通知ユニットは、マイクロプロセッサーに接続し、検体の測定値と基準値との比較結果に合わせて、通知を発信し、前記一つの電源供給ユニットは、検出ユニット、マイクロプロセッサー、表示ユニットおよび設定ユニットに接続して必要な電源を供給し、前述の部品構成により、検出するとき、世界保健機関(ＷＨＯ)またはＡＤＡ組織より勧告した最新の健康測定基準値あるいは医師の指示に従い、設定ユニットにより、実際状況の基準値を新たに設定し、これらの数値を併せてデータ保存ユニットに保存し、検出するとき、再設定後の基準値と検出数値との比較を行い、表示ユニットと通知ユニットにより、通知することを可能に構成したことを特徴とする、基準値自己設定可能な生物センサーである。
【０００８】
本願の第２考案は、前記設定ユニットは、押しボタン構造であることを特徴とする、前記第１考案に記載の基準値自己設定可能な生物センサーである。
【０００９】
本願の第３考案は、前記表示ユニットは、液晶表示装置であることを特徴とする、前記第１考案に記載の基準値自己設定可能な生物センサーである。
【００１０】
本願の第４考案は、前記データ保存ユニットは、外部メモリ装置構造であることを特徴とする、前記第１考案に記載の基準値自己設定可能な生物センサーである。
【００１１】
本願の第５考案は、前記マイクロプロセッサーは、通知ユニットに接続することを特徴とする、前記第１考案に記載の基準値自己設定可能な生物センサーである。
【００１２】
本願の第６考案は、前記通知ユニットは、灯信号であることを特徴とする、前記第５考案に記載の基準値自己設定可能な生物センサーである。
【００１３】
本願の第７考案は、前記通知ユニットは、スピーカであることを特徴とする、前記第５考案に記載の基準値自己設定可能な生物センサーである。
【００１４】
本願の第８考案は、前記データ保存ユニットに肥満度指数 (body mass index; ＢＭＩ)設定モードを設け、被測定者は測定するとき、設定ユニットにより肥満度指数 (body mass index; ＢＭＩ)の必要数値を入力しておき、マイクロプロセッサーにより併せてデータ保存ユニットに保存できることを特徴とする、請求項５記載の基準値自己設定可能な生物センサーである。
【考案の効果】
【００１５】
本考案の一つの目的は一種の基準値自己設定可能な生物センサーの提供に関わるものである。設定ユニットを設け、保健機関の勧告に従い基準値を設定、または医療関係者の指示に基づいて、利用者それぞれの実際状況に合わせて、正常または危険などの値を自らが設定できる。
【００１６】
本考案の一つの目的は、一種の基準値自己設定可能な生物センサーの提供に関わるものである。一つの検出ユニットを設け、アナログ/デジタル変換ユニットに接続し、このアナログ/デジタル変換ユニットは、さらに一つのマイクロプロセッサーと接続する。マイクロプロセッサーはそれぞれ設定ユニット、表示時ユニット、保存ユニット及び電源供給ユニットに接続しておく、使用するとき、検出ユニットが生物検体を検出して、アナログ/デジタル変換ユニットによりデジタルデータに変換する。一方、マイクロプロセッサーにより、あらかじめに設定ユニットで設定した基準値、正常基準値または危険値または危険値などを取り出して比較の上、通知ユニットみてあらかじめに設定された通知方式(色別の灯信号による正常、要注意または危険を表示)により、利用者に通知することにより、利用者自分のからだ状態を容易に把握させる。
【００１７】
本考案の一つの目的は、一種の基準値自己設定可能な生物センサーの提供に関わるもので、保存ユニットに肥満度指数，（body mass index ＢＭＩ)設定モードを設け、利用者が測定するとき、設定ユニットより肥満度指数（body mass index; ＢＭＩ)を入力した上、マイクロプロセッサーにより併せて保存ユニットに保存しておく、これにより、被測定者の測定時点における実際状況を反映して、医療関係者の正確判断に提供できる。
【００１８】
本考案のさらに一つの目的は、一種の基準値自己設定可能な生物センサーの提供に関わるもので、その表示ユニットは液晶表示装置(ＬＣＤ)などを用いて、被測定者の測定結果を液晶表示装置に表示させることができる。
【考案を実施するための最良の形態】
【００１９】
本考案の目的、形状、構造、装置、特徴及びその効果を理解するため、以下に図面を参照しながら実施例について説明する。
【実施例】
【００２０】
本考案は一種の基準値自己設定可能な生物センサーの提供に関わる。図１、２に示す通り、本体100を設け、この本体100は任意の形状より構成できる。本体100上に電源供給ユニット10を設け、この電源供給ユニット10は本体100上の電源スイッチ110に接続しておく。使用するときに電源スイッチ110の切換えにより、電源をオンまたはオフする。
【００２１】
本体100の中にマイクロプロセッサー20を設ける。このマイクロプロセッサー20は電源供給ユニット10に接続し、マイクロプロセッサー20はさらにアナログ/デジタル変換ユニット30に接続する。アナログ/デジタル変換ユニット30は検出ユニット40に接続し、検出ユニット40に検体を取り付けた試験片を挿入するための検出窓41を設けて、アナログ/デジタル変換ユニット30は検出ユニット40で検出した信号をデジタル信号に変換する。
【００２２】
マイクロプロセッサー20はさらに設定ユニット50、表示ユニット60、保存ユニット70および通知ユニット80に接続する。そのうち、表示ユニット60は液晶表示装置(ＬＣＤ)などを用いて、測定結果をする。さらに、健康基準値の設定を自ら設定できるように設定ユニット50は押しボタンなどを設ける。また、データ保存ユニット70はメモリ体であり、このデータ保存ユニット70に各種の健康基準値を保存する。通知ユニット80は発光半導体ダイオードを使用して、測定結果は通知ユニット80により、食前または食後2時間の測定値８０〜１１５mg/dl(４．５〜６．４mmol/L) が青色のとき、正常を示すなど、さまざまな色で表示させる。８０mg/dl(４．５mmol/L)以下または１２６〜２００mg/dl(７．０〜１１．１mmol/L)のとき、黄色いで表示させて要注意を意味する。６０mg/dl(３．４４mmol/L)より低いまたは２００mg/dl(１１．１mmol/L)を超えるとき、赤信号で表示させて、異常および大きな問題あることを示す。
【００２３】
使用するときは、図１、２、３に示す通り、電源を投入し電源供給ユニット20より電源を接続された素子に伝送した上、検体を取り付けた試験片を検出窓41に挿入して、このユニットで検出された数値はアナログ/デジタル変換ユニット30によりマイクロプロセッサー20に伝送し、マイクロプロセッサー20は検出数値を受信したとき、あらかじめに保存ユニット70に保存された設定値を取り出して、検出数値と比較を行う。設定値を超えないとき、表示ユニット60に表示させ、通知ユニット80により青い灯を表示する。もし、設定値を超えたときマイクロプロセッサー20は警告信号を生成して、通知ユニット80により、あらかじめに設定された警告灯信号(黄色いまたは赤色)を表示させた上、データ保存ユニット70に保存する。
【００２４】
その後、さらに設定ユニット50より入力モードを選択できる。一例として、肥満度指数が選択されたとき、マイクロプロセッサー20はデータ保存ユニット70よりその関連データを取り出して、利用者に必要数値の入力を促す。本実施例において、身長と体重を設定する。肥満症は血糖値に影響を与える要因の一つであるため、マイクロプロセッサー20によって処理完了後、その数値と検出数値と併せてデータ保存ユニット70に保存しておく。
【００２５】
しかし、世界保健機関(ＷＨＯ)またはＡＤＡ組織、あるいは一部の患者が家族遺伝性糖尿病などにより、その血糖平均値は工場出荷するときに設定していた基準値より高い(低い)ため、検出するとき、保健機関が勧告する健康参考基準値または医師の指示に基づいて、設定ユニット50より、その実際状況に合わせて、設定値、警告値の再設定を行い、通知ユニット80により表示した上、これらの数値をデータ保存ユニット70に保存しておく。検出するとき、再設定後の基準値と検出値と比較を行い、表示ユニット60より表示させるほか、通知ユニット80よりしかるべき警告信号を発信して、医師処方変更の参考として、血糖測定値データを記録しておく。
【００２６】
以上に説明した通り、本考案はいかなる環境でも、正確な測定結果を表示することができるため、本考案は公知の装置より精確で便利である。使用面において、効果を向上して実用性を満たしている。
【図面の簡単な説明】
【００２７】
【図１】本考案の立体概略図である。
【図２】本考案のユニットブロック図である。
【図３】本考案の操作フロー概略図である。
【符号の説明】
【００２８】
１００・・・・本体
１１０・・・・電源スイッチ
１０・・・・・電源供給ユニット
２０・・・・・マイクロプロセッサー
３０・・・・・アナログ/デジタル変換ユニット
４０・・・・・検出ユニット
５０・・・・・設定ユニット
６０・・・・・表示ユニット
７０・・・・・データ保存ユニット
８０・・・・・通知ユニット
【図１】
0003117104.tif 000003
【図２】
0003117104.tif 000004
【図３】
0003117104.tif 000005